(57)【特許請求の範囲】
【請求項１】
軸に嵌合したリングを分解して当該軸から取り除くリング分解装置であって、
前記リングの外周面に軸心方向に沿ってあらかじめ形成された溝に差し込まれ、押圧されることにより当該溝を押し拡げる拡張手段と、
前記拡張手段を押圧する押圧手段と
を備えてなることを特徴とするリング分解装置。
【請求項２】
前記拡張手段が
内側にテーパ状の穴を有し、当該穴の径方向に沿って拡大可能な拡縮体と、
前記拡縮体の前記穴に差し込まれ、外面がテーパ状をなすクサビ本体と
を備えてなり、
前記押圧手段が
架台と、
前記架台に取り付けられ、当該架台を前記軸に引っ掛ける引掛具と、
前記架台上に設けられ、前記クサビ本体を前記軸の軸心方向へ向けて付勢する付勢手段と
を備えてなる
ことを特徴とする請求項１に記載のリング分解装置。
【請求項３】
前記拡縮体の外面側の摩擦抵抗が大きいことを特徴とする請求項２に記載のリング分解装置。
【発明の詳細な説明】
【０００１】
【発明の属する技術分野】
本発明は、焼きばめ等により軸に嵌合したリングを分解して軸から取り除くリング分解装置に関する。
【０００２】
【従来の技術】
焼きばめ等により軸に嵌合したリングを軸から取り除く場合、従来は、図７に示すように、エンドミル１０１により、リング２を軸心方向に沿って切削分割して軸１から取り除いたり、図８に示すように、ガスバーナ１０２により、リング２を軸心方向に沿って溶融切断して軸１から取り除いたりしている。
【０００３】
【発明が解決しようとする課題】
しかしながら、前述したようにして軸１からリング２を取り除く場合には、以下のような問題があった。
（Ａ）エンドミルを用いた場合
▲１▼リング２を切削分割する際に、軸１の外周面に傷を付けてしまう虞がある。▲２▼加工装置が大型になるため、取り扱いが不便である。
（Ｂ）ガスバーナを用いた場合
▲１▼リング２を溶融切断する際に、軸１の外周面に傷を付けてしまう虞がある。▲２▼軸１を始めとして、リング２の周辺の部材に過大な熱が加わってしまい、これら部材に悪影響を与えてしまう。
【０００４】
このようなことから、本発明は、軸を傷つけたり、軸や周辺部材に熱による悪影響を与えたりすることなく、軸からリングを簡単に取り除くことができるリング分解装置を提供することを目的とした。
【０００５】
【課題を解決するための手段】
前述した課題を解決するための、本発明によるリング分解装置は、軸に嵌合したリングを分解して当該軸から取り除くリング分解装置であって、
前記リングの外周面に軸心方向に沿ってあらかじめ形成された溝に差し込まれ、押圧されることにより当該溝を押し拡げる拡張手段と、
前記拡張手段を押圧する押圧手段と
を備えてなることを特徴とする。
【０００６】
上述したリング分解装置においては、
前記拡張手段が
内側にテーパ状の穴を有し、当該穴の径方向に沿って拡大可能な拡縮体と、
前記拡縮体の前記穴に差し込まれ、外面がテーパ状をなすクサビ本体と
を備えてなり、
前記押圧手段が
架台と、
前記架台に取り付けられ、当該架台を前記軸に引っ掛ける引掛具と、
前記架台上に設けられ、前記クサビ本体を前記軸の軸心方向へ向けて付勢する付勢手段と
を備えてなる
ことを特徴とする。
【０００７】
上述したリング分解装置においては、前記拡縮体の外面側の摩擦抵抗が大きいことを特徴とする。
【０００８】
【発明の実施の形態】
本発明によるリング分解装置の実施の形態を図１〜６を用いて説明する。なお、図１は、その概略構造を表す一部破断図、図２は、図１の矢線II方向から見た図、図３は、図２の矢線 III部の抽出拡大断面図、図４は、リングの前処理説明図、図５は、図４の矢線Ｖ方向からのリングの外観図、図６は、図５の矢線VI方向からのリングの外観図である。
【０００９】
図１，２において、２０は押圧手段であるクサビ具押圧装置であり、当該クサビ具押圧装置２０は、架台２１と、引掛具２２と、付勢手段である油圧ラム２３とを備えてなっている。
【００１０】
引掛具２２は、架台２１の両端側にそれぞれ設けられ、当該架台２１を軸１に引っ掛けることができると共に、当該架台２１と上記軸１との距離にあわせてその長さを調整することができるようになっている。
油圧ラム２３は、その上部が昇降可能となっており、架台２１の上面の上記両端側にそれぞれ設けられ、リング２の軸心方向の長さに応じてその架台２１上の位置を設定することができるようになっている。
【００１１】
また、図１，２において、１０は拡張手段であるクサビ具であり、当該クサビ具１０は、図３に示すように、クサビ本体１１と、拡縮体１２と、合ピン１３と、保持リング１４とを備えてなっている。
【００１２】
クサビ本体１１は、外周面がテーパ状をなし、その先端側が平坦となっている。
拡縮体１２は、その内側にテーパ状の穴を有する円筒型をなし、軸心方向に沿って二分割可能となるように対をなす半筒体１２ａ，１２ｂからなっている。
合ピン１３は、拡縮体１２の半筒体１２ａ，１２ｂを連結するように当該拡縮体１２の小内径側の端部部分に緩嵌し、当該拡縮体１２の上記半筒体１２ａ，１２ｂが径方向に沿って接近離反移動できるように当該半筒体１２ａ，１２ｂを支持している。
保持リング１４は、ゴムなどのような摩擦抵抗の大きい弾性材料からなり、拡縮体１２の外周面に軸心方向に沿って複数嵌合され、縮体１２の外周面側の摩擦抵抗を増大させると共に、拡縮体１２の半筒体１２ａ，１２ｂの合ピン１３からの抜け落ちを防止するようになっている。
【００１３】
つまり、クサビ具１０は、拡縮体１２の内部にクサビ本体１１を差し込んでいくと、拡縮体１２の径方向に上記半筒体１２ａ，１２ｂが離反し、当該拡縮体１２が拡大するようになっているのである。
【００１４】
このようなリング分解装置により、焼きばめ等で軸に嵌合したリングを軸から取り除く場合を次に説明する。
【００１５】
まず、前処理として、図４〜６に示すように、溝形成手段である穴あけ装置３０により、リング２の外周面から内周面近傍（内周面から１〜２mm程度手前）までに至る穴２ａを当該リング２の下方側に軸心方向全長にわたって形成することにより、当該リング２の外周面の下方側に軸心方向に沿って溝２ｂを形成したら、軸１を周方向へ１８０度回転し、リング２に上述と同様にして溝２ｂをさらに形成する。
【００１６】
つぎに、クサビ具１０の拡径筒１２の半筒体１２ａ，１２ｂの合わせ面を軸１の軸心方向に沿わせるようにリング２の下方側に位置する溝２ｂの軸心方向両端寄りの複数の穴２ａ（本実施の形態では三つ）に当該拡径筒１２をそれぞれ差し込むと共にクサビ本体１１を拡縮体１２の内部に差し込むと、拡縮体１２が拡大して保持リング１４がリング２の穴２ａの内周面に押圧されて、クサビ具１０がリング２の穴２ａ内に仮固定される。
【００１７】
つづいて、引掛具２を軸１に引っ掛け、上記クサビ具１０の下方に油圧ラム２３を位置決めした後、油圧ラム２３を上昇させてクサビ具１０のクサビ本体１１を拡縮体１２の内部にさらに押し込むと、拡縮体１２がさらに拡大してリング２の下方側の溝２ｂの幅が押し拡げられ、当該溝２ｂがリング２の内周面と連通するように当該リング２の下方側が軸心方向に沿って割れる。
【００１８】
このようにしてリング２の下方側を軸心方向に沿って割ったら、引掛具２２を軸１から一旦外し、軸１を１８０度回転して下方に新たに位置した溝２ｂに上述と同様にクサビ具１０を差し込み、軸１に引掛具２２を再度引っ掛けて油圧ラム２３を上昇させると、新たに下方に位置したリング２の溝２ｂが上述と同様にして割れ、当該リング２が二分割されて軸１から外れるようになる。
【００１９】
したがって、軸１を傷つけることなくリング２を軸１から簡単に取り除くことができる。
また、軸１等に熱負荷が加わるようなことはないので、熱による悪影響を軸１等に与えることがない。
また、クサビ具押圧装置２０や穴あけ装置３０などは小型軽量化することが容易にできるので、リング２の分解除去作業を容易に行うことができる。
【００２０】
また、拡縮体１２の外周面に摩擦抵抗の大きい保持リング１４を嵌合していることから、リング２の下方に位置する穴２ａに拡縮体１２を差し込んでも、クサビ本体１１を拡縮体１２内に人力で差し込むだけで拡縮体１２の落下を防止することができので、クサビ具押圧装置２０のセット等を容易に行うことができ、作業を効率よく行うことができる。
【００２１】
【発明の効果】
本発明のリング分解装置によれば、軸などにを傷つけたり、熱による悪影響を与えたりすることなく、軸からリングを簡単に取り除くことができる。
【図面の簡単な説明】
【図１】本発明によるリング分解装置の実施の形態の概略構造を表す一部破断図である。
【図２】図１の矢線II方向から見た図である。
【図３】図２の矢線 III部の抽出拡大断面図である。
【図４】リングの前処理説明図である。
【図５】図４の矢線Ｖ方向からのリングの外観図である。
【図６】図５の矢線VI方向からのリングの外観図である。
【図７】軸に嵌合したリングを取り除く場合の従来の例の説明図である。
【図８】軸に嵌合したリングを取り除く場合の従来の他の例の説明図である。
【符号の説明】
１  軸
２  リング
２ａ  穴
２ｂ  溝
１０  クサビ具
１１  クサビ本体
１２  拡縮体
１４  保持リング
２０  クサビ具押圧装置
２１  架台
２２  引掛具
２３  油圧ラム
３０  穴あけ装置
【図１】
0003686192.tif 000002
【図２】
0003686192.tif 000003
【図３】
0003686192.tif 000004
【図４】
0003686192.tif 000005
【図５】
0003686192.tif 000006
【図６】
0003686192.tif 000007
【図７】
0003686192.tif 000008
【図８】
0003686192.tif 000009